(57)【要約】【課題】工作機械の制御盤内の雰囲気について、工作機械の制御装置から独立した電源と工作機械と通信手段を持ち、複数の故障要因を監視および制御する装置を実装した装置を提供すること。【解決手段】工作機械が備える制御盤１００は、制御盤１００内の雰囲気に係る温度、湿度などの物理量を測定する各測定部と、制御盤１００内の雰囲気に係る温度、湿度などの物理量を調節する各調節部を備え、各調節部を制御することにより制御盤１００内の雰囲気を制御する雰囲気制御部１２０を備える。雰囲気制御部１２０は、工作機械に電力を供給する工作機械電源２１０とは別系統の、雰囲気制御電源１６０から電力の供給を受けるように構成されており、工作機械の電源が投入されていない状況においても、制御盤１００内の雰囲気を測定し、調節することにより制御盤１００内の各種電子機器を保護することができる。【選択図】図１
2016064482.tif 000002
【特許請求の範囲】
【請求項１】
工作機械制御部を含む電子機器を収納する制御盤と、工作機械を操作するユーザインタフェース部を有する工作機械において、
前記制御盤は、
前記制御盤内の雰囲気温度を測定する温度測定部と、
前記制御盤内の雰囲気温度を調節する温度調節部と、
前記制御盤内の雰囲気湿度を測定する湿度測定部と、
前記制御盤内の雰囲気湿度を調節する湿度調節部と、
前記制御盤内の雰囲気を制御する雰囲気制御部と、
前記工作機械の電源とは独立して前記温度測定部、
前記湿度測定部、前記温度調節部、前記湿度調節部および前記雰囲気制御部に電源を供給する雰囲気制御電源部を有し、
前記雰囲気制御部は、
温度と湿度に関連付けられた温度指令と湿度指令を記憶した記憶部と、
前記温度測定部と前記湿度測定部により測定された温度と湿度に基づいて、温度指令と湿度指令を出力する指令出力部とを有し、
前記工作機械制御部と第１の通信手段により接続され、
前記ユーザインタフェース部は、
第２の通信手段によって前記工作機械制御部と接続され、
前記測定された温度および湿度を確認すると共に前記雰囲気制御部の前記温度指令および前記湿度指令を変更する変更手段を有する、
ことを特徴とする工作機械。
【請求項２】
前記雰囲気制御電源部によって電源供給される前記制御盤内のオイルミスト濃度を測定する濃度測定部と、
前記制御盤内のオイルミスト濃度を調節できる濃度調節部を有し、
前記雰囲気制御部は温度と湿度とオイルミスト濃度に関連付けられた温度指令と湿度指令とオイルミスト濃度指令を記憶した記憶部と、前記温度測定部と前記湿度測定部と前記濃度測定部により測定された温度と湿度とオイルミスト濃度に基づいて、温度指令と湿度指令と濃度指令を出力する指令出力部とを有する、
ことを特徴とする請求項１に記載された工作機械。
【請求項３】
工作機械制御部を含む電子機器を収納する制御盤と、工作機械を操作するユーザインタフェース部を有する工作機械において、
前記制御盤は、
前記制御盤内の雰囲気温度を測定する温度測定部と、
前記制御盤内の雰囲気湿度を測定する湿度測定部と、
前記制御盤内の換気を行う換気部と、
前記制御盤内の雰囲気を制御する雰囲気制御部と、
前記工作機械の電源とは独立して前記温度測定部と前記湿度測定部と前記換気部と前記雰囲気制御部に電源を供給する雰囲気制御電源部を有し、
前記雰囲気制御部は、
温度と湿度に関連付けられた換気指令を記憶した記憶部と、
前記温度測定部と前記湿度測定部により測定された温度と湿度に基づいて、換気指令を出力する指令出力部とを有し、
前記工作機械制御部と通信するための第１の通信手段により接続され、
ユーザインタフェース部は、
第２の通信手段により前記工作機械制御部に接続され、
前記測定された温度および湿度を確認すると共に前記雰囲気制御部の前記換気指令を変更する変更手段とを有する、
ことを特徴とする工作機械。
【請求項４】
前記雰囲気制御電源部によって電源供給される前記制御盤内のオイルミスト濃度を測定する濃度測定部を有し、
前記雰囲気制御部は温度と湿度とオイルミスト濃度に関連付けられた換気指令を記憶した記憶部と、
前記温度測定部と前記湿度測定部と前記濃度測定部により測定された温度と湿度とオイルミスト濃度に基づいて、換気指令を出力する指令出力部とを有する、
ことを特徴とする請求項３に記載された工作機械。
【請求項５】
前記温度測定部、前記湿度測定部で測定した測定情報を記憶する測定情報記憶部を有し、
前記工作機械制御部は前記温度測定部、前記湿度測定部で測定した測定情報を受信して、
前記測定情報記憶部へ記憶することを特徴とする請求項１または３に記載の工作機械。
【請求項６】
前記温度測定部、前記湿度測定部、前記濃度測定部で測定した測定情報を記憶する測定情報記憶部を有し、
前記工作機械制御部は前記温度測定部、前記湿度測定部、前記濃度測定部で測定した測定情報を受信して、
前記測定情報記憶部へ記憶することを特徴とする請求項２または４に記載の工作機械。
【請求項７】
工作機械制御部を含む電子機器を収納する制御盤と、工作機械を操作するユーザインタフェース部を有する工作機械において、
前記制御盤は、
前記制御盤内の雰囲気温度を測定する温度測定部と、
前記制御盤内の雰囲気温度を調節する温度調節部と、
前記制御盤内の雰囲気湿度を測定する湿度測定部と、
前記制御盤内の雰囲気湿度を調節する湿度調節部と、
前記制御盤内の雰囲気を制御する雰囲気制御部と、
前記工作機械の電源とは独立して前記温度測定部、前記湿度測定部、前記温度調節部、前記湿度調節部および前記雰囲気制御部に電源を供給する雰囲気制御電源部を有し、
前記雰囲気制御部は、
温度と湿度に関連付けられた温度指令と湿度指令を記憶した記憶部と、
前記温度測定部と前記湿度測定部により測定された温度と湿度に基づいて、温度指令と湿度指令を出力する指令出力部とを有し、
前記工作機械制御部と通信するための第１の通信手段によって接続され、
ユーザインタフェース部は、
第３の通信手段によって前記雰囲気制御部と接続され、
前記測定された温度および湿度を確認すると共に前記雰囲気制御部の前記温度指令および前記湿度指令を変更する変更手段を有する、
ことを特徴とする工作機械。
【発明の詳細な説明】
【技術分野】
【０００１】
本発明は、工作機械の制御盤内の雰囲気を監視・制御する機能を有する装置に関する。
【背景技術】
【０００２】
工作機械は、数値制御装置（ＣＮＣ）やサーボアンプをはじめとした多くの電子機器で構成されているが、工作機械周辺の雰囲気中には、切削や研削時に生じるオイルやオイルミスト、塵埃、薬液、水、水蒸気など、電子機器の故障を引き起こす外的要因が多く存在している。これら外的故障要因から電子機器を保護するため、一般的な工作機械では、制御盤と呼ばれるロッカーに電子機器を収納している。
【０００３】
外的故障要因からの電子機器の保護という目的を達成するためには、制御盤は制御盤外の雰囲気を遮蔽できる密閉構造にすべきであるが、一方で、密閉性の高い構造は制御盤内の保守性や作業性、内部機器の放熱性能を低下させてしまう。このため、制御盤は完全な密閉構造にはできず、制御盤外の雰囲気の影響や侵入をある程度許容せざるを得ない。
【０００４】
上記問題を解決するために、例えば、特許文献１に記載の電子機器の冷却装置や、特許文献２に記載の制御盤内の温度や湿度を監視および制御することで電子機器を保護する方法が、従来技術として開示されているこれらの方法を利用すれば、制御盤外の雰囲気が制御盤内に影響したとしても、電子機器を保護できる。さらに、温度や湿度の監視および制御にとどまらず、オイルミストや粉塵の濃度など、監視および制御する外的故障要因を増やしていけば、さらなる電子機器の保護につながる。
【０００５】
しかしながら、工作機械の周辺機器を接続できるインタフェースの数には上限がある上、電子機器の保護のための機器以外にも、例えばドアの自動開閉装置や工作機械内の照明、切削液用のポンプのように接続すべき周辺機器は多い。そのため、監視および制御すべき外的故障要因の数が多いと、必要なセンサや制御装置に対し空きインタフェース数が足りない問題が生じる。また、外的故障要因は工作機械が動作していない間にも制御盤内に侵入・影響する恐れがあるが、この方法では工作機械の電源が投入されている間の保護しかできない。この問題への対策としては、特許文献３に開示されるように、工作機械から独立した制御系により、雰囲気を制御する方法が考えられる。この方法であれば、監視および制御する外的故障要因が増加しても、機械の空きインタフェースがなくなる問題はない。
【先行技術文献】
【特許文献】
【０００６】
【特許文献１】特開平０６−１１９０８３号公報
【特許文献２】特開平０９−１３８０４４号公報
【特許文献３】特開２００２−１０３１０２号公報
【発明の概要】
【発明が解決しようとする課題】
【０００７】
しかしながら、工作機械と独立した外的故障要因の制御系を用いる方法は、外的故障要因についてブラックボックス化してしまう問題がある。工作機械の周囲環境は工作機械ごとに異なり、工作機械納入後に監視および制御する外的故障要因の種類や方法は工作機械ごとに調整、改善すべきであり、そのためにも測定された外的故障要因の状態や制御方法を可視化することが望ましい。また、ユーザにとっての使い易さを考慮すれば、ユーザインタフェースを工作機械と外的故障要因の制御系とで個々に備えるのではなく、工作機械に統一されていることが望ましい。
【０００８】
そこで本発明の目的は、工作機械の制御盤内の雰囲気について、工作機械の制御装置から独立した電源と工作機械と通信手段を持ち、複数の故障要因を監視および制御する装置を実装した装置を提供することである。
【課題を解決するための手段】
【０００９】
本願の請求項１に係る発明は、工作機械制御部を含む電子機器を収納する制御盤と、工作機械を操作するユーザインタフェース部を有する工作機械において、前記制御盤は、前記制御盤内の雰囲気温度を測定する温度測定部と、前記制御盤内の雰囲気温度を調節する温度調節部と、前記制御盤内の雰囲気湿度を測定する湿度測定部と、前記制御盤内の雰囲気湿度を調節する湿度調節部と、前記制御盤内の雰囲気を制御する雰囲気制御部と、前記工作機械の電源とは独立して前記温度測定部、前記湿度測定部、前記温度調節部、前記湿度調節部および前記雰囲気制御部に電源を供給する雰囲気制御電源部を有し、前記雰囲気制御部は、温度と湿度に関連付けられた温度指令と湿度指令を記憶した記憶部と、前記温度測定部と前記湿度測定部により測定された温度と湿度に基づいて、温度指令と湿度指令を出力する指令出力部とを有し、前記工作機械制御部と第１の通信手段により接続され、前記ユーザインタフェース部は、第２の通信手段によって前記工作機械制御部と接続され、前記測定された温度および湿度を確認すると共に前記雰囲気制御部の前記温度指令および前記湿度指令を変更する変更手段を有する、ことを特徴とする工作機械である。
【００１０】
本願の請求項２に係る発明は、前記雰囲気制御電源部によって電源供給される前記制御盤内のオイルミスト濃度を測定する濃度測定部と、前記制御盤内のオイルミスト濃度を調節できる濃度調節部を有し、前記雰囲気制御部は温度と湿度とオイルミスト濃度に関連付けられた温度指令と湿度指令とオイルミスト濃度指令を記憶した記憶部と、前記温度測定部と前記湿度測定部と前記濃度測定部により測定された温度と湿度とオイルミスト濃度に基づいて、温度指令と湿度指令と濃度指令を出力する指令出力部とを有する、ことを特徴とする請求項１に記載された工作機械である。
【００１１】
本願の請求項３に係る発明は、工作機械制御部を含む電子機器を収納する制御盤と、工作機械を操作するユーザインタフェース部を有する工作機械において、前記制御盤は、前記制御盤内の雰囲気温度を測定する温度測定部と、前記制御盤内の雰囲気湿度を測定する湿度測定部と、前記制御盤内の換気を行う換気部と、前記制御盤内の雰囲気を制御する雰囲気制御部と、前記工作機械の電源とは独立して前記温度測定部と前記湿度測定部と前記換気部と前記雰囲気制御部に電源を供給する雰囲気制御電源部を有し、前記雰囲気制御部は、温度と湿度に関連付けられた換気指令を記憶した記憶部と、前記温度測定部と前記湿度測定部により測定された温度と湿度に基づいて、換気指令を出力する指令出力部とを有し、前記工作機械制御部と通信するための第１の通信手段により接続され、ユーザインタフェース部は、第２の通信手段により前記工作機械制御部に接続され、前記測定された温度および湿度を確認すると共に前記雰囲気制御部の前記温度指令および前記湿度指令を変更する変更手段とを有する、ことを特徴とする工作機械である。
【００１２】
本願の請求項４に係る発明は、前記雰囲気制御電源部によって電源供給される前記制御盤内のオイルミスト濃度を測定する濃度測定部を有し、前記雰囲気制御部は温度と湿度とオイルミスト濃度に関連付けられた換気指令を記憶した記憶部と、前記温度測定部と前記湿度測定部と前記濃度測定部により測定された温度と湿度とオイルミスト濃度に基づいて、換気指令を出力する指令出力部とを有する、ことを特徴とする請求項３に記載された工作機械である。
【００１３】
本願の請求項５に係る発明は、前記温度測定部、前記湿度測定部で測定した測定情報を記憶する測定情報記憶部を有し、前記工作機械制御部は前記温度測定部、前記湿度測定部で測定した測定情報を受信して、前記測定情報記憶部へ記憶することを特徴とする請求項１，３のいずれか１つに記載の工作機械である。
本願の請求項６に係る発明は、前記温度測定部、前記湿度測定部、前記濃度測定部で測定した測定情報を記憶する測定情報記憶部を有し、前記工作機械制御部は前記温度測定部、前記湿度測定部、前記濃度測定部で測定した測定情報を受信して、前記測定情報記憶部へ記憶することを特徴とする請求項２，４のいずれか１つに記載の工作機械である。
【００１４】
本願の請求項７に係る発明は、工作機械制御部を含む電子機器を収納する制御盤と、工作機械を操作するユーザインタフェース部を有する工作機械において、前記制御盤は、前記制御盤内の雰囲気温度を測定する温度測定部と、前記制御盤内の雰囲気温度を調節する温度調節部と、前記制御盤内の雰囲気湿度を測定する湿度測定部と、前記制御盤内の雰囲気湿度を調節する湿度調節部と、前記制御盤内の雰囲気を制御する雰囲気制御部と、前記工作機械の電源とは独立して前記温度測定部、前記湿度測定部、前記温度調節部、前記湿度調節部および前記雰囲気制御部に電源を供給する雰囲気制御電源部を有し、前記雰囲気制御部は、温度と湿度に関連付けられた温度指令と湿度指令を記憶した記憶部と、前記温度測定部と前記湿度測定部により測定された温度と湿度に基づいて、温度指令と湿度指令を出力する指令出力部とを有し、前記工作機械制御部と通信するための第１の通信手段によって接続され、ユーザインタフェース部は、第３の通信手段によって前記雰囲気制御部と接続され、前記測定された温度および湿度を確認すると共に前記雰囲気制御部の前記温度指令および前記湿度指令を変更する変更手段を有する、ことを特徴とする工作機械である。
【発明の効果】
【００１５】
本発明により、工作機械が有している周辺機器を接続するためのインタフェース数を増加させずに、監視および制御する外的故障要因を増やし、なおかつ外的故障要因の監視および制御状態をユーザが確認できる信頼性の高い工作機械を実現できる。
【図面の簡単な説明】
【００１６】
【図１】本発明の第１の実施の形態の工作機械の要部ブロック図である。
【図２】本発明の第２の実施の形態の工作機械の要部ブロック図である。
【図３】本発明の第３の実施の形態の工作機械の要部ブロック図である。
【図４】本発明の第４の実施の形態の工作機械の要部ブロック図である。
【図５】本発明の第５の実施の形態の工作機械の要部ブロック図である。
【図６】本発明の第６の実施の形態の工作機械の要部ブロック図である。
【発明を実施するための形態】
【００１７】
以下、本発明の実施の形態を図面と共に説明する。
＜第１の実施の形態＞
図１は、本発明の一実施の形態における工作機械の要部ブロック図である。本実施の形態の工作機械は、制御盤１００、工作機械駆動部２００、工作機械電源２１０を備え、また、制御盤１００は工作機械制御部１１０、雰囲気制御部１２０、温度測定部１３０、温度調節部１３２、湿度測定部１４０、湿度調節部１４２、雰囲気制御電源部１６０、ユーザインタフェース部１７０を備えている。
【００１８】
工作機械制御部１１０は、ユーザインタフェース部１７０を介したユーザから加工指令を受け、又は、図示しないメモリから読み出した加工プログラム等に基づいて加工指令を生成し、当該加工指令に基づいて工作機械駆動部２００を制御し、該工作機械駆動部２００を制御した結果として得られた加工情報をユーザインタフェース部１７０へ出力する。また、工作機械制御部１１０は、ユーザインタフェース部を介したユーザからの温度、湿度指令値を受け、当該温度、湿度指令値を雰囲気制御部１２０へ出力すると共に、該雰囲気制御部１２０から温度、湿度などの雰囲気の測定情報を受けて、該雰囲気の測定情報をユーザインタフェース部１７０へ出力する。
【００１９】
雰囲気制御部１２０は、制御盤１００内の雰囲気を示す物理量と制御盤１００内の雰囲気を調節する指令値とを関連付けた記憶部１２２と、該指令値を雰囲気を調節する調節部へと出力する指令出力部１２４を備えている。
本実施の形態では、制御盤１００内の雰囲気の物理量として雰囲気温度と雰囲気湿度を取り扱う例を示しており、記憶部１２２は、雰囲気温度と雰囲気湿度とに温度指令値と湿度指令値とを関連付けて記憶している。図１においては、所定の温度幅、所定の湿度幅毎に、温度指令値、湿度指令値を関連付けており、制御盤１００内の温度、湿度を測定する温度測定部１３０、湿度測定部１４０から入力された温度情報、湿度情報に基づいて記憶部１２２に記憶された温度指令値、湿度指令値を抽出することができるようになっている。
【００２０】
そして、制御盤１００内の雰囲気温度、雰囲気湿度を測定する温度測定部１３０、湿度測定部１４０から入力された温度情報、湿度情報に基づいて記憶部１２２に記憶された温度指令値、湿度指令値を抽出し、抽出された温度指令値、湿度指令値に基づいて指令出力部１２４が温度指令、湿度指令を生成し、それぞれ温度調節部１３２、湿度調節部１４２へと出力して制御盤１００内の雰囲気温度、雰囲気湿度を調節する。
【００２１】
なお、記憶部１２２に記憶されている、雰囲気温度、雰囲気湿度と、温度指令値、湿度指令値との関連付けについては、この例に限られるものではない。例えば、温度幅、湿度幅について、図１ではそれぞれ１０℃毎、１０％毎の固定幅毎に温度指令値、湿度指令値が関連付けられているが、温度幅、湿度幅共に固定である必要はなく、温度帯、湿度帯によって温度幅、湿度幅が可変となるようにしてもよい。そのような場合、温度調節部１３２や湿度調節部１４２の特性に基づいて温度幅、湿度幅を定めたり、実験などに基づいて温度幅、湿度幅を決定したりしてもよい。また、図１に示すようなテーブル形式に限る必要もなく、雰囲気温度と雰囲気湿度から温度指令値と湿度指令値とが求まる関数式を記憶部１２２に記憶して用いるようにしてもよい。
【００２２】
このように構成された雰囲気制御部１２０において、制御盤１００内の温度、湿度を測定する温度測定部１３０、湿度測定部１４０から温度情報、湿度情報が入力されると、該温度情報、湿度情報に基づいて記憶部１２２を参照することにより温度指令値、湿度指令値が抽出され、該抽出された温度指令値、湿度指令値に基づいて指令出力部１２４が温度指令、湿度指令を生成し、それぞれ温度調節部１３２、湿度調節部１４２へと出力して制御盤１００内の雰囲気温度、雰囲気湿度が調節される。
【００２３】
温度測定部１３０、湿度測定部１４０は、制御盤１００内の雰囲気温度、雰囲気湿度を測定する測定器により構成され、温度情報、湿度情報を生成して雰囲気制御部１２０へ出力する。また、温度調節部１３２、湿度調節部１４２は、制御盤１００内の雰囲気温度、雰囲気湿度を調節する機能を有する、例えば制御盤１００に取付けられたクーラなどの熱交換機や除湿機、換気用のファンなどにより構成され、雰囲気制御部１２０から出力される雰囲気調節指令により制御盤１００内の雰囲気温度、雰囲気湿度を調節する。
【００２４】
雰囲気制御電源部１６０は、雰囲気制御部１２０、温度測定部１３０、湿度測定部１４０、温度調節部１３２、湿度調節部１４２に対して電力を供給する電源であり、工作機械制御部１１０に対して電力を供給する工作機械電源２１０とは別体として設けられている。
【００２５】
ユーザインタフェース部１７０は、ユーザからの操作を受け付けるキーやスイッチ、マウス、タッチパネルなどで構成された入力部と、加工情報や各測定情報などを提供するための液晶ディスプレイなどの表示部とから構成されている。ユーザはユーザインタフェース部１７０により、工作機械制御部１１０や雰囲気制御部１２０に対して入力部を介して各種指令を出すことができると共に、工作機械や制御盤内の情報を表示部を介して確認することができる。
【００２６】
以上のように構成された本実施の形態の制御盤１００では、上述した通り、雰囲気制御部１２０に対して電力を供給する雰囲気制御電源部１６０が、工作機械制御部１１０に対して電力を供給する工作機械電源２１０とは別体に設けられているため、工作機械自体の電源が投入されていない状況、即ち工作機械が運転されていない状況においても、制御盤内の雰囲気を測定し、調節することができる。
【００２７】
＜第２の実施の形態＞
本発明の最も基本的な実施例である第１の実施の形態においては、制御盤１００内の雰囲気温度、雰囲気湿度を測定し、該測定した雰囲気温度、雰囲気湿度に基づいて制御盤１００内の雰囲気温度、雰囲気湿度を調節するための温度指令値、湿度指令値を決定して温度調節、湿度調節を行う例を示したが、本実施の形態においては、雰囲気温度、雰囲気湿度に加えて制御盤１００内のオイルミストの濃度を測定して調節する機能を有する工作機械の例を示す。
【００２８】
図２は、本発明の一実施の形態における工作機械の要部ブロック図である。本実施の形態の工作機械は、第１の実施の形態で説明した構成に加えて、制御盤１００内のオイルミストの濃度を測定する濃度測定部１５０と、制御盤１００内のオイルミストの濃度を調節する濃度調節部１５２とを備えている。
濃度測定部１５０は、制御盤１００内に取付けられたピエゾバランス式粉塵測定器などにより構成されており、測定したオイルミストの濃度に基づいてオイルミスト濃度情報を生成して雰囲気制御部１２０へと出力する。濃度調節部１５２は、制御盤１００内の空気をフィルタするエアフィルタなどにより構成されており、雰囲気制御部１２０からのオイルミスト濃度指令を受けて制御盤１００内のオイルミスト濃度を調節する。
【００２９】
また、雰囲気制御部１２０が備える記憶部１２２には、雰囲気温度と、雰囲気湿度と、オイルミスト濃度とに、温度指令値、湿度指令値およびオイルミスト濃度指令値が関連付けて記憶されている。図２においては、所定の温度幅、所定の湿度幅毎、所定のオイルミスト濃度幅毎に、温度指令値、湿度指令値、オイルミスト濃度指令値を関連付けており、制御盤１００内の温度、湿度、オイルミスト濃度を測定する温度測定部１３０、湿度測定部１４０、濃度測定部１５０から入力された温度情報、湿度情報、オイルミスト濃度情報に基づいて記憶部１２２に記憶された温度指令値、湿度指令値、オイルミスト濃度指令値を抽出することができるようになっている。
【００３０】
そして、制御盤１００内の雰囲気温度、雰囲気湿度、オイルミスト濃度を測定する温度測定部１３０、湿度測定部１４０、濃度測定部１５０から入力された温度情報、湿度情報、オイルミスト濃度情報に基づいて記憶部１２２に記憶された温度指令値、湿度指令値、オイルミスト濃度指令値を抽出し、抽出された温度指令値、湿度指令値、オイルミスト濃度指令値に基づいて指令出力部１２４が温度指令、湿度指令、オイルミスト濃度指令を生成し、それぞれ温度調節部１３２、湿度調節部１４２、濃度調節部１５２へと出力して制御盤１００内の雰囲気温度、雰囲気湿度、およびオイルミスト濃度を調節する。
【００３１】
なお、記憶部１２２に記憶されている、雰囲気温度、雰囲気湿度、オイルミスト濃度と、温度指令値、湿度指令値およびオイルミスト濃度指令値との関連付けについては、この例に限られるものではない。例えば、温度幅、湿度幅、オイルミスト濃度幅について、図２ではそれぞれ１０℃毎、１０％毎、１０％毎の固定幅毎に温度指令値、湿度指令値およびオイルミスト濃度指令値が関連付けられているが、温度幅、湿度幅、オイルミスト濃度幅共に固定である必要はなく、温度帯、湿度帯、オイルミスト濃度帯によって温度幅、湿度幅、オイルミスト濃度幅が可変となるようにしてもよい。そのような場合、温度調節部１３２や湿度調節部１４２、濃度調節部１５２の特性に基づいて温度幅、湿度幅、オイルミスト濃度幅を定めたり、実験などに基づいて温度幅、湿度幅、オイルミスト濃度幅を決定したりしてもよい。また、図２に示すようなテーブル形式に限る必要もなく、雰囲気温度、雰囲気湿度、オイルミスト濃度から温度指令値、湿度指令値、およびオイルミスト濃度指令値が求まる関数式を記憶部１２２に記憶して用いるようにしてもよい。
【００３２】
以上のように構成された本実施の形態の制御盤１００では、第１の実施の形態で説明した利点に加えて、更に工作機械自体の電源が投入されていない状況、即ち工作機械が運転されていない状況においても、制御盤内のオイルミスト濃度を調節することができる。
【００３３】
＜第３の実施の形態＞
上述した第１の実施の形態においては、制御盤１００内の雰囲気温度、雰囲気湿度を測定し、該測定した雰囲気温度、雰囲気湿度に基づいて制御盤１００内の雰囲気温度、雰囲気湿度を調節するための温度指令値、湿度指令値を決定して温度調節、湿度調節を行う例を示したが、本実施の形態においては、制御盤１００内の雰囲気温度、雰囲気湿度を調節するための構成として換気部を設けた例を示す。
【００３４】
図３は、本発明の一実施の形態における工作機械の要部ブロック図である。本実施の形態の工作機械は、第１の実施の形態で説明した温度調節部１３２、湿度調節部１４２に代えて、制御盤１００内の空気を喚起する換気部１８０を備えている。
換気部１８０は、制御盤の外壁などに設けられ、フィルタを備えた吸気口と排気口に設けられたファンなどにより構成されており、雰囲気制御部１２０からの換気指令を受けて例えばファンの回転速度などを制御して制御盤１００内の空気を換気することにより制御盤１００内の温度、湿度を調節する。
【００３５】
また、雰囲気制御部１２０が備える記憶部１２２には、雰囲気温度と、雰囲気湿度とに、換気指令値が関連付けて記憶されている。図３においては、所定の温度幅、所定の湿度幅毎に、換気指令値を関連付けており、制御盤１００内の温度、湿度を測定する温度測定部１３０、湿度測定部１４０から入力された温度情報、湿度情報に基づいて記憶部１２２に記憶された換気指令値を抽出することができるようになっている。
【００３６】
そして、制御盤１００内の雰囲気温度、雰囲気湿度を測定する温度測定部１３０、湿度測定部１４０から入力された温度情報、湿度情報に基づいて記憶部１２２に記憶された換気指令値を抽出し、抽出された換気指令値に基づいて指令出力部１２４が換気指令を生成し、換気部１８０へと出力して制御盤１００内の空気を換気し、雰囲気温度、雰囲気湿度を調節する。他の構成については、第１の実施の形態と同様である。
【００３７】
＜第４の実施の形態＞
上述した第２の実施の形態においては、制御盤１００内の雰囲気温度、雰囲気湿度、オイルミスト濃度を測定し、該測定した雰囲気温度、雰囲気湿度、オイルミスト濃度に基づいて制御盤１００内の雰囲気温度、雰囲気湿度およびオイルミスト濃度を調節するための温度指令値、湿度指令値およびオイルミスト濃度指令値を決定して温度調節、湿度調節、オイルミスト濃度調節を行う例を示したが、本実施の形態においては、制御盤１００内の雰囲気温度、雰囲気湿度、オイルミスト濃度を調節するための構成として換気部を設けた例を示す。
【００３８】
図４は、本発明の一実施の形態における工作機械の要部ブロック図である。本実施の形態の工作機械は、第２の実施の形態で説明した構成において、温度調節部１３２、湿度調節部１４２、濃度調節部１５２に代えて、制御盤１００内の空気を喚起する換気部１８０を備えている。
換気部１８０は、制御盤の外壁などに設けられ、フィルタを備えた吸気口と排気口に設けられたファンなどにより構成されており、雰囲気制御部１２０からの換気指令を受けて例えばファンの回転速度などを制御して制御盤１００内の空気を換気することにより制御盤１００内の温度、湿度およびオイルミスト濃度を調節する。
【００３９】
また、雰囲気制御部１２０が備える記憶部１２２には、雰囲気温度と、雰囲気湿度と、オイルミスト濃度とに、換気指令値が関連付けて記憶されている。図４においては、所定の温度幅、所定の湿度幅、所定のオイルミスト濃度幅毎に、換気指令値を関連付けており、制御盤１００内の温度、湿度、オイルミスト濃度を測定する温度測定部１３０、湿度測定部１４０、濃度測定部１５０から入力された温度情報、湿度情報、オイルミスト濃度情報に基づいて記憶部１２２に記憶された換気指令値を抽出することができるようになっている。
【００４０】
そして、制御盤１００内の雰囲気温度、雰囲気湿度、オイルミスト濃度を測定する温度測定部１３０、湿度測定部１４０から入力された温度情報、湿度情報に基づいて記憶部１２２に記憶された換気指令値を抽出し、抽出された換気指令値に基づいて指令出力部１２４が換気指令を生成し、換気部１８０へと出力して制御盤１００内の空気を換気し、雰囲気温度、雰囲気湿度、オイルミスト濃度を調節する。他の構成については、第２の実施の形態と同様である。
【００４１】
＜第５の実施の形態＞
上述した第２の実施の形態においては、制御盤１００内の雰囲気温度、雰囲気湿度、オイルミスト濃度を測定し、該測定した雰囲気温度、雰囲気湿度、オイルミスト濃度に基づいて制御盤１００内の雰囲気温度、雰囲気湿度およびオイルミスト濃度を調節するための温度指令値、湿度指令値およびオイルミスト濃度指令値を決定して温度調節、湿度調節、オイルミスト濃度調節を行う例を示したが、本実施の形態においては、本実施の形態においては、測定された雰囲気温度、雰囲気湿度およびオイルミスト濃度を記録する構成を備えた工作機械の例を示す。
【００４２】
図５は、本発明の一実施の形態における工作機械の要部ブロック図である。本実施の形態の工作機械は、第２の実施の形態で説明した構成に加えて、温度測定部１３０、湿度測定部１４０、濃度測定部１５０が測定した制御盤１００内の雰囲気温度、雰囲気湿度およびオイルミスト濃度の各測定情報を記録する測定情報記録部１９０を備えている。
測定情報記録部１９０は、工作機械制御部１１０と接続されており、工作機械制御部１１０が雰囲気制御部１２０から受け取った温度情報、湿度情報、オイルミスト濃度情報の各測定情報を受け取り、図示しないメモリ上に記録する。メモリに記録された情報は各測定情報は、ユーザがユーザインタフェース部１７０を操作することにより、適時読み出して表示し、確認することができる他、図示しないインタフェースを介して外部記録媒体などに記録し、工作機械の状況を解析したりするために用いることができる。他の構成については、他の実施の形態と同様である。
【００４３】
以上のように構成された本実施の形態の制御盤１００では、他の実施の形態で説明した利点に加えて、更に制御盤の雰囲気に係る情報について記録をすることができ、当該情報を様々な用途に用いることができる。
【００４４】
そして、制御盤１００内の雰囲気温度、雰囲気湿度、オイルミスト濃度を測定する温度測定部１３０、湿度測定部１４０から入力された温度情報、湿度情報に基づいて記憶部１２２に記憶された換気指令値を抽出し、抽出された換気指令値に基づいて指令出力部１２４が換気指令を生成し、換気部１８０へと出力して制御盤１００内の空気を換気し、雰囲気温度、雰囲気湿度、オイルミスト濃度を調節する。他の構成については、第２の実施の形態と同様である。
【００４５】
＜第６の実施の形態＞
上述した第１の実施の形態においては、ユーザインタフェース部１７０は工作機械制御部１１０を介して雰囲気制御部１２０と接続されていたが、本実施の形態においては、ユーザインタフェース部１７０を、工作機械制御部１１０と接続すると共に、雰囲気制御部１２０とも直接接続する構成を設けた例を示す。
【００４６】
図６は、本発明の一実施の形態における工作機械の要部ブロック図である。本実施の形態の工作機械は、第１の実施の形態で説明した構成に加えて、ユーザインタフェース部１７０と工作機械制御部１１０との通信経路と、ユーザインタフェース部１７０と雰囲気制御部１２０との通信経路とを、異なる通信経路で接続している。
これら通信経路は、入出力インタフェースを構成するバスなどで構成されており、ユーザインタフェース部１７０は、それぞれの通信経路から入力される表示指令と、それぞれの通信経路に出力する操作指令とを区別して制御できるように構成されている。ユーザインタフェース部は、それぞれの通信経路に対してハードウェア的に、またはソフトウェア的に異なる操作部と表示部を備えるように構成してもよいし、それぞれの通信経路を切り替えて入出力を制御できるようにしてもよい。
【００４７】
このような構成を設けることで、ユーザは工作機械電源が停止している最中においても、ユーザインタフェース部１７０を操作することで雰囲気制御部１２０に対して指令値の変更を指示することができるようになると共に、制御盤１００内の雰囲気温度、雰囲気湿度などをユーザインタフェース部１７０に表示して確認することができるようになる。
【符号の説明】
【００４８】
１００    制御盤
１１０    工作機械制御部
１２０    雰囲気制御部
１２２    記憶部
１２４    指令出力部
１３０    温度測定部
１３２    温度調節部
１４０    湿度測定部
１４２    湿度調節部
１５０    濃度測定部
１５２    濃度調節部
１６０    雰囲気制御電源部
１７０    ユーザインタフェース部
１８０    換気部
１９０    測定情報記録部
２００    工作機械駆動部
２１０    工作機械電源
【図１】
2016064482.tif 000003
【図２】
2016064482.tif 000004
【図３】
2016064482.tif 000005
【図４】
2016064482.tif 000006
【図５】
2016064482.tif 000007
【図６】
2016064482.tif 000008